(57)【要約】【課題】記録媒体に記録されたテレビ番組を分類したカテゴリを保存するフォルダをツリー形式でディスプレイ装置に表示できるようにした情報記録再生装置を提供する。【解決手段】ユーザーは、カテゴリ画面３０を見てリモコンを操作してツリー開閉マーク４２を選択して決定すると、フォルダ３２，３９，４０，４１が表示される。次に、ユーザーは、リモコンの操作により＋のツリー開閉マーク４６を選択し決定すると、フォルダ３６，３７，３８が表示される。この後、ユーザーは、バラエティ番組から音楽番組を視聴したい場合、リモコン１１の操作によりツリー開閉マーク４９を選択し決定すると、番組名「ジャズミュージック２１」およびそのサムネイル画像５３、ならびに番組名「ポップスミュージック０７」およびそのサムネイル画像５４をカテゴリ画面３０に表示される。【選択図】図３
2009129510.tif 000002
【特許請求の範囲】
【請求項１】
記録媒体に情報を記録したり、記録媒体に記録された情報を再生したりする情報記録再生装置において、
記録媒体に記録されたテレビ番組を所定の項目で最も大きく分類された第１階層のカテゴリを保存する第１階層フォルダと、該第１階層フォルダの下位の階層である第２階層のカテゴリを保存する第２階層フォルダと、該第２階層フォルダの下位の階層である第３階層のカテゴリを保存する第３階層フォルダとを少なくとも含み、前記第３階層フォルダが最下位層フォルダであった場合に前記第３段階層フォルダに保存されたテレビ番組には、番組名およびサムネイル画像を付加し、前記第１階層フォルダと前記第２階層フォルダと前記第３階層フォルダとを含む階層フォルダを前記記録媒体に記録するフォルダ記録手段と、
全カテゴリ表示指示されたとき、前記記録媒体から前記第１階層フォルダと前記第２階層フォルダと前記第３階層フォルダとを含む階層フォルダを読み出してフォルダの種類毎に色分けし、前記第１階層フォルダと前記第２階層フォルダと前記第３階層フォルダとを含む階層フォルダをツリー型式でディスプレイ装置に表示させることを可能にすると共に、前記第３階層フォルダが最下位層フォルダであった場合に選択された第３階層フォルダの内容である当該テレビ番組の番組名およびサムネイル画像を前記ディスプレイ装置に表示させる全カテゴリ表示手段とを備えたことを特徴とする情報記録再生装置。
【請求項２】
前記第１階層フォルダに保存される第１階層のカテゴリとは、前記記録媒体に記録されたテレビ番組を視聴するユーザーに応じて分類されたユーザー名であることを特徴とする請求項１に記載の情報記録再生装置。
【請求項３】
前記第２階層フォルダに保存される第２階層のカテゴリとは、テレビ番組のジャンルであることを特徴とする請求項１に記載の情報記録再生装置。
【請求項４】
前記第３階層フォルダに保存される第３階層のカテゴリとは、当該ジャンルに含まれるテレビ番組の種類であることを特徴とする請求項１に記載の情報記録再生装置。
【請求項５】
ユーザー操作に応答して視聴制限したいフォルダに視聴制限のレベルを設定する視聴制限レベル設定手段を備えたことを特徴とする請求項１に記載の情報記録再生装置。
【請求項６】
前記第３階層フォルダに保存されている第３階層のカテゴリがテレビ番組であった場合、テレビ番組の番組数および総記録時間を算出して表示させる第３階層フォルダの番組数／総記録時間算出手段を備えたことを特徴とする請求項１に記載の情報記録再生装置。
【請求項７】
前記第２階層フォルダに保存されている第２階層のカテゴリがテレビ番組のジャンルであった場合、前記ジャンルから見てのテレビ番組の番組数および総記録時間を算出して表示させる第２階層フォルダの番組数／総記録時間算出手段を備えたことを特徴とする請求項１に記載の情報記録再生装置。
【請求項８】
前記第１階層フォルダに保存されている第１階層のカテゴリがユーザーに応じて分類されたユーザー名であった場合、前記ユーザー名から見てのテレビ番組の番組数および総記録時間を算出して表示させる第１階層フォルダの番組数／総記録時間算出手段を備えたことを特徴とする請求項１に記載の情報記録再生装置。
【請求項９】
前記第３階層フォルダに保存されているテレビ番組を所定条件に従ってフォルダ中で並べ替える番組並べ替え手段を備えたことを特徴とする請求項１に記載の情報記録再生装置。
【請求項１０】
前記第２階層フォルダに保存される第２階層のカテゴリがテレビ番組であった場合、電子番組案内データに基いて前記テレビ番組のジャンルを分類するジャンル分類手段を備えたことを特徴とする請求項１に記載の情報記録再生装置。
【発明の詳細な説明】
【技術分野】
【０００１】
本発明は、記録媒体に情報を記録したり、記録媒体に記録された情報を再生したりする情報記録再生装置に関し、特に、記録媒体に記録されたテレビ番組を再生する場合にディスプレイ装置に表示させるカテゴリ画面に関する。
【背景技術】
【０００２】
近年、ハードディスクやＤＶＤ（デジタル・バーサタイル・ディスク）などの記録媒体に映像音声情報を記録し、また、その記録媒体に記録された映像音声情報を再生することができる情報記録再生装置が普及している。
【０００３】
ところで、このような情報記録再生装置を用いてテレビ番組を記録媒体に記録し、また、記録媒体からテレビ番組を再生する場合、再生したいテレビ番組を選択するため、記録媒体に記録されているテレビ番組の番組名と記録年月日を示すプレイリスト（再生リスト）をディスプレイ装置に表示させ、そのプレイリストから再生したいテレビ番組の番組名を選択して、そのテレビ番組を再生させている。
【特許文献１】特開２００６−３５２７２２号公報
【発明の開示】
【発明が解決しようとする課題】
【０００４】
しかしながら、従来の情報記録再生装置におけるプレイリストは、横方向に、テレビ番組の記録順を示すタイトル番号、番組名、および記録年月日などの情報が表示され、そして、縦方向に、それらの情報がテレビ番組の記録された順に表示されているので、ユーザーが複数人居る場合、各ユーザーに対応するテレビ番組や、テレビ番組をジャンル毎に分けることができず、各ユーザーにとっては使い勝手が劣ると言う課題があった。
【０００５】
なお、特許文献１の従来技術では、放送番組を記録デバイスに記録する場合に、第１のカテゴリ情報（ジャンルやユーザー名）により放送番組を記録するフォルダを決定し、さらに、第１のカテゴリ情報（ジャンルによりフォルダの下位階層にあるフォルダ）から放送番組を記録するフォルダを決定し、第２のカテゴリ情報により決定したフォルダに情報信号を記録するようにしているが、このような記録により得られた録画番組一覧は、表形式で表示されているので、上位階層と下位階層との位置付けが分かりにくく、使い勝手が劣ると言う課題が生じる。
【０００６】
本発明は、上記のような課題を解決するためになされたもので、記録媒体に記録されたテレビ番組を分類したカテゴリを保存するフォルダをツリー形式でディスプレイ装置に表示できるようにした情報記録再生装置を提供することを目的とする。
【課題を解決するための手段】
【０００７】
上記目的を達成するために、請求項１の発明は、記録媒体に記録されたテレビ番組を所定の項目で最も大きく分類された第１階層のカテゴリを保存する第１階層フォルダと、該第１階層フォルダの下位の階層である第２階層のカテゴリを保存する第２階層フォルダと、該第２階層フォルダの下位の階層である第３階層のカテゴリを保存する第３階層フォルダとを少なくとも含み、前記第３階層フォルダが最下位層フォルダであった場合に前記第３段階層フォルダに保存されたテレビ番組には、番組名およびサムネイル画像を付加し、前記第１階層フォルダと前記第２階層フォルダと前記第３階層フォルダとを含む階層フォルダを前記記録媒体に記録するフォルダ記録手段と、全カテゴリ表示指示されたとき、前記記録媒体から前記第１階層フォルダと前記第２階層フォルダと前記第３階層フォルダとを含む階層フォルダを読み出してフォルダの種類毎に色分けし、前記第１階層フォルダと前記第２階層フォルダと前記第３階層フォルダとを含む階層フォルダをツリー型式でディスプレイ装置に表示させることを可能にすると共に、前記第３階層フォルダが最下位層フォルダであった場合に選択された第３階層フォルダの内容である当該テレビ番組の番組名およびサムネイル画像を前記ディスプレイ装置に表示させる全カテゴリ表示手段とを備えたことを特徴とする情報記録再生装置を提供する。
【０００８】
この構成において、第１階層フォルダには、記録媒体に記録されたテレビ番組が最も大きく分類される分類項目（例えばユーザー名）に従って分類された第１階層のカテゴリが保存される。第２階層フォルダには、第１階層フォルダの下位の階層である第２階層のカテゴリが保存される。第３階層フォルダには、第２階層フォルダの下位の階層である第３階層のカテゴリが保存される。第３階層フォルダが最下位層フォルダであった場合、第３段階層フォルダに保存されたテレビ番組には、番組名およびサムネイル画像が付加され、前記記録媒体に前記第１階層フォルダと前記第２階層フォルダと前記第３階層フォルダとを含む階層フォルダが記録媒体に記録される。
【０００９】
全カテゴリ表示指示されたとき、記録媒体から第１階層フォルダと第２階層フォルダと第３階層フォルダとが読み出され、フォルダの種類毎に色分けされ、第１階層フォルダと第２階層フォルダと第３階層フォルダとを含む階層フォルダがツリー型式でディスプレイ装置に表示されると共に、前記第３階層フォルダが最下位層フォルダであった場合に選択された第３階層フォルダの内容である当該テレビ番組の番組名およびサムネイル画像がディスプレイ装置に表示される。
【００１０】
この構成によれば、第１階層フォルダと第２階層フォルダと第３階層フォルダとを含む階層フォルダがツリー型式でディスプレイ装置に表示されるので、ユーザーは、記録済みのテレビ番組が多数有っても、再生したいテレビ番組がどのフォルダに有るのかが一目で分かり、再生したいテレビ番組を早く探すことができ、また、番組名と共にサムネイル画像も表示されるので、番組の内容も分かり易くなり、ユーザーにとっては使い勝手が向上する。
【００１１】
請求項２の発明では、請求項１の発明において、前記第１階層フォルダに保存される第１階層のカテゴリとは、前記記録媒体に記録されたテレビ番組を視聴するユーザーに応じて分類されたユーザー名であるので、各ユーザーが視聴したいテレビ番組を早く探すことができるようになる。
【００１２】
請求項３の発明では、請求項１の発明において、前記第２階層フォルダに保存される第２階層のカテゴリとは、テレビ番組のジャンルであるので、ユーザーが視聴したいテレビ番組をジャンルで探せば、視聴したいテレビ番組のジャンルを早く探すことができるようになる。
【００１３】
請求項４の発明では、請求項１の発明において、前記第３階層フォルダに保存される第３階層のカテゴリとは、当該ジャンルに含まれるテレビ番組の種類であるので、当該ジャンルにおけるテレビ番組がどのような種類のものがあるかが直ぐに分かる。
【００１４】
請求項５の発明では、請求項１の発明において、ユーザー操作に応答して視聴制限したいフォルダに視聴制限のレベルを設定する視聴制限レベル設定手段を備えたので、視聴制限したいフォルダに視聴制限のレベルを設定できる。例えば、視聴制限のレベルにＡ，Ｂ，Ｃ，・・・のようなレベルを設ければ、視聴制限のレベルＣは２つ下の階層のフォルダに有るテレビ番組まで視聴でき、視聴制限のレベルＡは１つ下の階層にあるフォルダに有るテレビ番組でも視聴できないと言うような記録番組の管理が出来るようになる。
【００１５】
請求項６の発明では、請求項１の発明において、前記第３階層フォルダに保存されている第３階層のカテゴリがテレビ番組であった場合、テレビ番組の番組数および総記録時間を算出して表示させる第３階層フォルダの番組数／総記録時間算出手段を備えたので、前記第３階層フォルダに保存されているテレビ番組の番組数および総記録時間が分かり、これにより、前記テレビ番組を複数選択してリムーバブルメディアにムーブして残したい場合や、フォルダごと削除して記録媒体の空き容量を確保したい場合などの判断がし易くなる。
【００１６】
請求項７の発明では、請求項１の発明において、前記第２階層フォルダに保存されている第２階層のカテゴリがテレビ番組のジャンルであった場合、前記ジャンルから見てのテレビ番組の番組数および総記録時間を算出して表示させる第２階層フォルダの番組数／総記録時間算出手段を備えたので、ジャンルから見てのテレビ番組の番組数および総記録時間が分かり、これにより、前記テレビ番組を複数選択してリムーバブルメディアにムーブして残したい場合や、フォルダごと削除して記録媒体の空き容量を確保したい場合などの判断がし易くなる。
【００１７】
請求項８の発明では、請求項１の発明において、前記第１階層フォルダに保存されている第１階層のカテゴリがユーザーに応じて分類されたユーザー名であった場合、前記ユーザー名から見てのテレビ番組の番組数および総記録時間を算出して表示させる第１階層フォルダの番組数／総記録時間算出手段を備えたので、ユーザー名から見てのテレビ番組の番組数および総記録時間が分かり、これにより、前記テレビ番組を複数選択してリムーバブルメディアにムーブして残したい場合や、フォルダごと削除して記録媒体の空き容量を確保したい場合などの判断がし易くなる。
【００１８】
請求項９の発明では、請求項１の発明において、前記第３階層フォルダに保存されているテレビ番組を所定条件に従ってフォルダ中で並べ替える番組並べ替え手段を備えたので、前記第３階層フォルダに保存されているテレビ番組を、例えば、あいうえお順や記録日時順あるいは放送時間帯に従ってフォルダ中で並べ替えることができ、これにより、ユーザーはテレビ番組を視聴し易く、また編集し易くなる。
【００１９】
請求項１０の発明では、請求項１の発明において、前記第２階層フォルダに保存される第２階層のカテゴリがテレビ番組であった場合、電子番組案内データに基いて前記テレビ番組のジャンルを分類するジャンル分類手段を備えたので、電子番組案内データに基づいてテレビ番組がジャンル毎に自動的に分類される。
【発明の効果】
【００２０】
以上のように本発明によれば、第１階層フォルダと第２階層フォルダと第３階層フォルダとを含む階層フォルダがツリー型式でディスプレイ装置に表示されるので、ユーザーは、記録済みのテレビ番組が多数有っても、再生したいテレビ番組がどのフォルダに有るのかが一目で分かり、再生したいテレビ番組を早く探すことができ、また、番組名と共にサムネイル画像も表示されるので、番組の内容も分かり易くなり、ユーザーにとっては使い勝手が向上する。
【発明を実施するための最良の形態】
【００２１】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置と光ディスク装置とが組み込まれた複合型記録再生装置について説明するが、本実施形態の特徴とするタイトル管理保存機能は、複合型記録再生装置に限らず、単体のハードディスク装置や光ディスク装置に設ければ、同様な効果を得ることができる。
【００２２】
図１において、複合型記録再生装置１は、ＤＶＤ（デジタル・バーサタイル・ディスク）やＢＤ（ブルーレイ・ディスク）などの光ディスク１５に対して情報の記録／再生を行う光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムやデータなどを記憶するフラッシュＲＯＭ６と、システムコントローラ１０の動作に必要なデータを一時的に記憶するＲＡＭ１６とを備えている。
【００２３】
また、この複合型記録再生装置１は、デコーダ５で復号された映像信号をテレビジョン受像機１３のディスプレイ装置１３１で表示可能な映像信号に変換する映像出力部７と、番組表やカテゴリ画面などをテレビジョン受像機１３のディスプレイ装置１３１に表示させるためのＯＳＤ（オンスクリーンディスプレイ）部１２と、デコーダ５で復号された音声信号をテレビジョン受像機１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する図示しないＣＰＵなどで構成される前記システムコントローラ１０とを備えている。
【００２４】
システムコントローラ１０は、本実施形態の特徴として、記録媒体（ＨＤ１４または光ディスク１５）に記録されたテレビ番組を所定の項目で最も大きく分類された第１階層のカテゴリを保存する第１階層フォルダと、該第１階層フォルダの下位の階層である第２階層のカテゴリを保存する第２階層フォルダと、該第２階層フォルダの下位の階層である第３階層のカテゴリを保存する第３階層フォルダとを少なくとも含み、前記第３階層フォルダが最下位層フォルダであった場合に前記第３段階層フォルダに保存されたテレビ番組には、番組名およびサムネイル画像を付加し、前記第１階層フォルダと前記第２階層フォルダと前記第３階層フォルダとを含む階層フォルダを前記記録媒体に記録するフォルダ記録手段と、全カテゴリ表示指示されたとき、前記記録媒体から前記第１階層フォルダと前記第２階層フォルダと前記第３階層フォルダとを含む階層フォルダを読み出してフォルダの種類毎に色分けし、前記第１階層フォルダと前記第２階層フォルダと前記第３階層フォルダとを含む階層フォルダをツリー型式でディスプレイ装置に表示させることを可能にすると共に、前記第３階層フォルダが最下位層フォルダであった場合に選択された第３階層フォルダの内容である当該テレビ番組の番組名およびサムネイル画像を前記ディスプレイ装置に表示させる全カテゴリ表示手段とを備えている。
【００２５】
前記第１階層フォルダに保存される第１階層のカテゴリとは、前記記録媒体に記録されたテレビ番組を視聴するユーザーに応じて分類されたユーザー名である。前記第２階層フォルダに保存される第２階層のカテゴリとは、テレビ番組のジャンルである。前記第３階層フォルダに保存される第３階層のカテゴリとは、当該ジャンルに含まれるテレビ番組の種類である。
【００２６】
また、システムコントローラ１０は、ユーザー操作に応答して視聴制限したいフォルダに視聴制限のレベルを設定する視聴制限レベル設定手段と、前記第３階層フォルダに保存されている第３階層のカテゴリがテレビ番組であった場合、テレビ番組の番組数および総記録時間を算出して表示させる第３階層フォルダの番組数／総記録時間算出手段と、前記第２階層フォルダに保存されている第２階層のカテゴリがテレビ番組のジャンルであった場合、前記ジャンルから見てのテレビ番組の番組数および総記録時間を算出して表示させる第２階層フォルダの番組数／総記録時間算出手段と、前記第１階層フォルダに保存されている第１階層のカテゴリがユーザーに応じて分類されたユーザー名であった場合、前記ユーザー名から見てのテレビ番組の番組数および総記録時間を算出して表示させる第１階層フォルダの番組数／総記録時間算出手段と、前記第３階層フォルダに保存されているテレビ番組を所定条件に従ってフォルダ中で並べ替える番組並べ替え手段と、前記第２階層フォルダに保存される第２階層のカテゴリがテレビ番組であった場合、ＥＰＧ（電子番組案内）データに基いて前記テレビ番組のジャンルを分類するジャンル分類手段とを備えている。
【００２７】
図２は本実施形態においてリモコンのキー配置の一例を示す図である。図２において、リモコン１１の操作パネル２００には、ＴＶ電源キー２１１、入力切換キー２１２、レコーダ電源キー２１３、音量キー２１４、複数の数字キー２１５、再生リストキー２１６、メニューキー２１７、上方向キー２１８、下方向キー２１９、左方向キー２２０、右方向キー２２１、決定キー２２２、記録キー２２３、一時停止キー２２４、早戻しキー２２５、停止キー２２６、再生キー２２７、早送りキー２２８、スキップキー２２９、ＨＤＤモード切換キー２３０、ＤＶＤモード切換キー２３１などが配置されている。なお、ここでのキーの配置および個数は一例であるので、これに限ることはない。
【００２８】
図３は本実施形態においてディスプレイ装置に表示されるカテゴリ画面を示す図である。図３に示すカテゴリ画面３０おいて、３１は項目「すべてのカテゴリ」に対応するフォルダ、３２は項目「全ユーザー」に対応するフォルダ、３３は項目「映画」に対応するフォルダ、３４は項目「教育」に対応するフォルダ、３５は項目「バラエティ」に対応するフォルダ、３６は項目「お笑い」に対応するフォルダ、３７は項目「クイズ」に対応するフォルダ、３８は項目「音楽」に対応するフォルダ、３９は項目「父用」に対応するフォルダ、４０は項目「母用」に対応するフォルダ、４１は項目「私用」に対応するフォルダを示す。
【００２９】
４２は項目「すべてのカテゴリ」に対応するフォルダ３１を開閉するツリー開閉マークであり、このツリー開閉マーク４２が「−」になっている場合は、フォルダ３１の内容を閉じることができることを示している。したがって、この場合のツリー開閉マーク４２がリモコン１１により選択され決定されると、フォルダ３１よりも下位のフォルダの表示が消去され、カテゴリ画面３０には、フォルダ３１およびツリー開閉マーク（この場合、ツリー閉マーク４２の−の部分が＋になったもの）４２のみが表示される。
【００３０】
このように、フォルダ３１およびツリー開閉マーク（ツリー開閉マーク４２の−の部分が＋になったもの）４２のみが表示されているカテゴリ画面３０において、そのツリー開閉マーク４２がリモコン１１により選択され決定されると、フォルダ３２，３９，４０，４１およびツリー開閉マーク４３，５０，５１，５２が表示される。
【００３１】
ここで、例えば、項目「バラエティ」に対応するフォルダ３５を開くため、リモコン１１によりツリー開閉マーク４６（この状態では＋になっている）が選択され決定されると、項目「お笑い」に対応するフォルダ３６、ツリー開閉マーク４７、項目「クイズ」に対応するフォルダ３７、ツリー開閉マーク４８、項目「音楽」に対応するフォルダ３８、およびツリー開閉マーク４９が表示される。この状態になれば、図３に示すように、ツリー開閉マーク４６は−になる。
【００３２】
また、この例の場合、フォルダ３７に鍵マーク５５が付されているので、クイズ番組に視聴制限（パレンタルロック）が掛けられている。例えば、視聴制限のレベルにＡ，Ｂ，Ｃ，・・・のようなレベルを設け、視聴制限レベルＣは２つ下の階層のフォルダまで視聴でき、視聴制限レベルＡはひとつ下の階層にある番組でも視聴できないと言うような記録番組の管理が出来るようになる。
【００３３】
次に、項目「音楽」に対応するフォルダ３８を開くため、リモコン１１によりツリー開閉マーク４９（この状態では＋になっている）が選択され決定されると、番組名のテキストである「ジャズミュージック２１」と、この「ジャズミュージック２１」の内容の一部を示す動画または静止画のサムネイル画像５３が表示されると共に、番組名のテキストである「ポップスミュージック０７」と、この「ポップスミュージック０７」の内容の一部を示す動画または静止画のサムネイル画像５４が表示される。この状態になれば、図３に示すように、ツリー開閉マーク４９は−になる。なお、第３階層フォルダに保存されているテレビ番組を所定条件に従ってフォルダ中で並べ替える番組並べ替え手段がシステムコントローラ１０に備えられているので、第３階層フォルダ（例えば音楽のフォルダ３８）に保存されているテレビ番組を、例えば、あいうえお順や記録日時順あるいは放送時間帯に従ってフォルダ中で並べ替えることができ、これにより、ユーザーはテレビ番組を視聴し易く、また編集し易くなる。
【００３４】
また、カテゴリ画面３０において、ジャズミュージック２１の記録時間は１時間、ポップスミュージック０７の記録時間は２時間を示す。なお、これらの番組名および記録時間は、ＨＤ１４に記録されたディスク管理情報から読み出すことができる。音楽番組のフォルダ３８には、ジャズミュージック２１とポップスミュージック０７が記録されていることになるので、番組数が２で、総記録時間が３時間（＝１時間＋２時間）であることを示す。クイズ番組のフォルダ３７には、番組数が３個有り、総記録時間が１時間３０分であることを示す。お笑い番組のフォルダ３６には、番組数が２個有り、総記録時間が２時間であることを示す。これらの番組数および総記録時間の計算は、システムコントローラ１０の第３階層フォルダの番組数／総記録時間算出手段により行われる。
【００３５】
バラエティ番組のフォルダ３５には、番組数が２＋３＋２＝７（個）有り、総記録時間が６時間３０分（３時間＋１時間３０分＋２時間）であることを示す。これらの番組数および総記録時間の計算は、システムコントローラ１０の第２階層フォルダの番組数／総記録時間算出手段により行われる。
【００３６】
また、教育番組のフォルダ３４には、番組数が５個有り、総記録時間が２時間３０分であることを示す。映画番組のフォルダ３３には、番組数が３個有り、総記録時間が６時間であることを示す。したがって、全ユーザーのフォルダ３２には、番組数が１５（＝３＋５＋７）個有り、総記録時間が１５時間（＝６時間＋２時間３０分＋６時間３０分）であることを示す。
【００３７】
また、父用のフォルダ３９には、番組数が１２個有り、総記録時間が１５時間であることを示す。母用のフォルダ４０には、番組数が７個有り、総記録時間が９時間であることを示す。私用のフォルダ４１には、番組数が１６個有り、総記録時間が２０時間３０分であることを示す。これらの番組数および総記録時間の計算は、システムコントローラ１０の第１階層フォルダの番組数／総記録時間算出手段により行われる。
【００３８】
また、カテゴリ画面３０においては、第１階層フォルダと第２階層フォルダと第３階層フォルダとが色分け表示される。例えば、全ユーザーのフォルダ３２は青色表示され、映画のフォルダ３３と教育のフォルダ３４とバラエティのフォルダ３５とは、緑色表示される。また、お笑いのフォルダ３６とクイズのフォルダ３７と音楽ファイル３８とは黄色表示される。
【００３９】
以上説明したカテゴリ画面３０を表示させるには、記録媒体に各フォルダを記録させる必要があるので、このフォルダ記録処理について説明する。ここの説明では、記録媒体としてはＨＤ１４が用いられるものとする。
【００４０】
システムコントローラ１０のフォルダ記録手段は、ＨＤ１４に記録された複数のテレビ番組を所定の項目で最も大きく分類された第１階層のカテゴリ、即ち、ＨＤ１４に記録されたテレビ番組を視聴するユーザーに応じて分類されたユーザー名を保存する第１階層フォルダを、ハードディスク装置１４を介してＨＤ１４に記録させる。即ち、ユーザー名は、テレビ番組を記録予約する際に、図示しない記録予約画面上のユーザー登録項目に入力されることにより設定される。例えば、ユーザー登録項目に全ユーザー、父用、母用、私用などのユーザー名が登録されることにより、全ユーザーのフォルダ３２、父用のフォルダ３９、母用のフォルダ４０、私用のフォルダ４１などが、作成され、ＨＤ１４に記録される。
【００４１】
次に、システムコントローラ１０のフォルダ記録手段は、第１階層フォルダ（ユーザー名）の下位の階層である第２階層のカテゴリ（映画、教育、バラエティなど）を保存する第２階層フォルダを、ハードディスク装置１４を介してＨＤ１４に記録させる。即ち、システムコントローラ１０のジャンル分類手段は、第２階層のカテゴリ（映画、教育、バラエティなど）をＥＰＧデータにより、例えば、映画のフォルダ３３、教育のフォルダ３４、バラエティのフォルダ３５などに分類し、ＨＤ１４に記録する。
【００４２】
この後、システムコントローラ１０のフォルダ記録手段は、第２階層フォルダの下位の階層である第３階層のカテゴリ（テレビ番組）を保存する第３階層フォルダを、ハードディスク装置１４を介してＨＤ１４に記録させる。また、システムコントローラ１０のフォルダ記録手段は、第３階層フォルダが最下位層フォルダであった場合に、第３段階層フォルダに保存されたテレビ番組には、番組名およびサムネイル画像を付加し、この第３階層フォルダを、ハードディスク装置１４を介してＨＤ１４に記録させる。
【００４３】
図４は本実施形態において全カテゴリを表示させてから所望のタイトルが再生されるまでの処理を説明するためのフローチャートである。このフローチャートおよび図１〜図３を参照して全カテゴリを表示させてから所望のタイトルが再生されるまでの処理について説明する。
【００４４】
例えば、ＨＤ１４に記録されたテレビ番組（タイトル）を再生させるために、ユーザーは、リモコン１１のＴＶ電源キー２１１を操作してテレビジョン受像機１３の電源をオンすると共に、リモコン１１のレコーダ電源キー２１３を操作して複合型記録再生装置１の電源をオンし、更に、ＨＤ１４に記録されたテレビ番組（タイトル）を再生させたいため、リモコン１１のＨＤＤ切換キー２３０を操作して、複合記録再生装置１の動作モードをＨＤＤモードに切り換える。ここでの説明では、ＨＤ１４に記録された全カテゴリを表示する場合の処理について説明するが、光ディスク１５に記録された全カテゴリを表示する場合であっても同様な処理が行われる。
【００４５】
ここで、ユーザーがリモコン１１のメニューキー２１７を押下すると、システムコントローラ１０は、メニュー画面表示指示がされたことを検知し（ステップＳ１）、メニュー画面データをフラッシュＲＯＭ６から読み出してＯＳＤ部１２でＯＳＤ処理してメニュー画面映像信号として映像出力部７に供給して、テレビジョン受像機１３のディスプレイ装置１３１にメニュー画面（図示せず）を表示させる（ステップＳ２）。
【００４６】
次に、ユーザーは、前記メニュー画面を見て、項目「全カテゴリ表示」を指定すると、システムコントローラ１０は、全カテゴリ表示指示されたことを検知し（ステップＳ３）、これにより、ハードディスク装置３を再生動作させ、ＨＤ１４から全カテゴリのデータを読み出し、ＯＳＤ部１２でＯＳＤ処理を行い、映像出力部７を介してテレビジョン受像機１３のディスプレイ装置１３１に供給する。これにより、ディスプレイ装置１３１には、例えば、図３に示すようなカテゴリ画面３０に示すように全カテゴリが表示される（ステップＳ４）。なお、この時点では、カテゴリ画面３０において、フォルダ３１およびツリー開閉マーク（ツリー開閉マーク４２の−の部分が＋になったもの）４２のみが表示されている。
【００４７】
ここで、ユーザーは、カテゴリ画面３０を見て、第１階層フォルダであるフォルダ３１を開くため、リモコン１１を操作してツリー開閉マーク４２を選択して決定すると、システムコントローラ１０は、第１階層フォルダ（フォルダ３１）が選択されたことを検知し（ステップＳ５）、第２階層フォルダ（フォルダ３２，３９，４０，４１）をカテゴリ画面３０に表示させる（ステップＳ６）。また、それに伴って、ツリー開閉マーク４３，５０，５１，５２もカテゴリ画面３０に表示させる。
【００４８】
次に、ユーザーは、例えば、バラエティ番組を視聴したいとすると、項目「バラエティ」に対応するフォルダ３５を開くため、リモコン１１の操作により＋のツリー開閉マーク４６を選択し決定すると、システムコントローラ１０は、第２階層フォルダ（フォルダ３５）が選択されたことを検知し（ステップＳ７）、第３階層フォルダである、項目「お笑い」に対応するフォルダ３６、項目「クイズ」に対応するフォルダ３７、および項目「音楽」に対応するフォルダ３８を表示させる（ステップＳ８）。また、それに伴って、ツリー開閉マーク４７，４８，４９もカテゴリ画面３０に表示させる。ただし、この時点では、ツリー開閉マーク４９は＋になっている。
【００４９】
この後、ユーザーは、バラエティ番組から例えば音楽番組を視聴したく、フォルダ３８を開くため、リモコン１１の操作によりツリー開閉マーク４９を選択し決定すると、システムコントローラ１０は、第３階層フォルダ（フォルダ３８）が選択されたことを検知し（ステップＳ９）、番組名「ジャズミュージック２１」およびそのサムネイル画像５３、ならびに番組名「ポップスミュージック０７」およびそのサムネイル画像５４をカテゴリ画面３０に表示させる（ステップＳ１０）。
【００５０】
そして、例えば、番組名「ポップスミュージック０７」がユーザーによるリモコン１１の操作により、選択され、決定されると、システムコントローラ１０は、番組名「ポップスミュージック０７」のテレビ番組（タイトル）の再生指示があったと判定し（ステップＳ１１）、ハードディスク装置３を制御して、ＨＤ１４から番組名「ポップスミュージック０７」のテレビ番組（タイトル）を読み出してディスプレイ装置１３１にそのテレビ番組の映像を表示させ、また、スピーカ１３２からそのテレビ番組の音声を出力させる（ステップＳ１２）。
【００５１】
即ち、ハードディスク装置３は、ＨＤ１４から番組名「ポップスミュージック０７」のテレビ番組（タイトル）の映像音声データを読み出して、デコーダ５でデコード処理して映像データを映像出力部７に入力し、映像出力部７により表示用映像信号に変換し、この表示用映像信号をテレビジョン受像機１３のディスプレイ装置１３１に供給することにより、ディスプレイ装置１３１に再生映像を表示させ、また、デコーダ５からの音声データを音声出力部８でアナログ信号に変換して、アナログ信号を増幅し、音声出力可能な音声信号としてスピーカ１３２に供給することにより、スピーカ１３２から再生音声を出力させる。
【００５２】
そして、システムコントローラ１０は、番組名「ポップスミュージック０７」のテレビ番組（タイトル）の再生の終了を検知すると（ステップＳ１３）、本処理は終了する。
【００５３】
以上説明したように本実施形態によれば、第１階層フォルダと第２階層フォルダと第３階層フォルダとを含む階層フォルダがツリー型式でディスプレイ装置に表示されるので、ユーザーは、記録済みのテレビ番組が多数有っても、再生したいテレビ番組がどのフォルダに有るのかが一目で分かり、再生したいテレビ番組を早く探すことができ、また、番組名と共にサムネイル画像も表示されるので、番組の内容も分かり易くなり、ユーザーにとっては使い勝手が向上する。
【産業上の利用可能性】
【００５４】
本発明は、ハードディスクレコーダやＤＶＤレコーダあるいはＢＤレコーダなどに利用可能である。
【図面の簡単な説明】
【００５５】
【図１】本発明の一実施形態に係る情報記録再生装置としての複合型記録再生装置の構成を示すブロック図である。
【図２】前記実施形態においてリモコンのキー配置の一例を示す図である。
【図３】前記実施形態においてディスプレイ装置に表示されるカテゴリ画面を示す図である。
【図４】前記実施形態において全カテゴリを表示させてから所望のタイトルが再生されるまでの処理を説明するためのフローチャートである。
【符号の説明】
【００５６】
１    複合型記録再生装置（情報記録再生装置）
１０    システムコントローラ（フォルダ記録手段、全カテゴリ表示手段、視聴制限レベル設定手段、第１階層フォルダの番組数／総記録時間算出手段、第２階層フォルダの番組数／総記録時間算出手段、第３階層フォルダの番組数／総記録時間算出手段、番組並べ替え手段、ジャンル分類手段）
【図１】
2009129510.tif 000003
【図２】
2009129510.tif 000004
【図３】
2009129510.tif 000005
【図４】
2009129510.tif 000006